(57)【特許請求の範囲】
【請求項１】
電気音響変換素子を内蔵したユニット本体の背面に同心状に位置する内側ばね受面と外側ばね受面とが具備され、上記内側ばね受面によって一端側輪部が受け止められた導電線でなる内側コイルばねの他端側輪部が、上記内側ばね受面に対向して配備される回路基板のパターン電極に弾接される内側端子として形成されていると共に、この内側コイルばねの上記一端側輪部から延び出た末端部が上記ユニット本体に設けられているユニット側電極に電気的に接続されており、かつ、上記外側ばね受面によって一端側輪部が受け止められた導電線でなる外側コイルばねの他端側輪部が、上記外側ばね受面に対向して配備される上記回路基板の別のパターン電極に弾接される外側端子として形成されていると共に、この外側コイルばねの上記一端側輪部から延び出た末端部が上記ユニット本体に設けられている別のユニット側電極に電気的に接続されており、上記内側コイルばねと上記外側コイルばねとが互いに電気的に絶縁されていることを特徴とする電気音響変換ユニット。
【請求項２】
上記内側コイルばねは、その一端側輪部よりも他端側輪部が径小に形成された円錐状コイルばねでなり、上記外側コイルばねは、その一端側輪部よりも他端側輪部が径小に形成された円錐状コイルばねでなり、上記内側コイルばねの他端側輪部の外周直径が上記外側コイルばねの他端側輪部の内周直径よりも小さく形成されていると共に、内側コイルばねと外側コイルばねとが間隔を隔てて同心状に配備されている請求項１に記載した電気音響変換ユニット。
【請求項３】
上記内側コイルばねに備わっている２つの相隣接する輪部において、径大側輪部と径小側輪部とは、当該内側コイルばねが圧縮されたときに、径大側輪部の内側に径小側輪部が嵌合可能になっており、上記外側コイルばねに備わっている２つの相隣接する輪部においても、当該外側コイルばねが圧縮されたときに、径大側輪部の内側に径小側輪部が嵌合可能になっている請求項２に記載した電気音響変換ユニット。
【請求項４】
上記内側コイルばねの一端側輪部から延び出た末端部が接続される上記ユニット側電極が上記ユニット本体の外周部に設けられていると共に、上記内側コイルばねの一端側輪部から延び出た末端部の上に、合成樹脂フィルムでなる電気絶縁体を介して、上記外側ばねの一端側輪部が重なり状に配備されている請求項１ないし請求項３のいずれかに記載した電気音響変換ユニット。
【請求項５】
上記内側コイルばねの一端側輪部から延び出た末端部が接続される上記ユニット側電極と、上記外側コイルばねの一端側輪部から延び出た末端部が接続される別の上記ユニット側電極とが、上記ユニット本体の背面外周部の２箇所に設けられている請求項３に記載した電気音響変換ユニット。
【発明の詳細な説明】
【０００１】
【発明の属する技術分野】
本発明は、通信機器、たとえば携帯電話器のレシーバやマイクロホンなどとして用いられる小型の電気音響変換ユニットに関するものである。
【０００２】
【従来の技術】
通信機器の一例である携帯電話器の受話側や送話側のデバイスとして採用される電気音響変換ユニットにおいて、その特性を可及的最大限度に引き出したり不慮の故障などを回避したりするためには、電話器ハンドセットなどの機器筐体に組み込まれている状態でそのユニットに偏荷重などの無理な力が加わっていないことが望まれる。また、機器筐体の小型化軽量化などを促進して携帯性や取扱性などを高めるためには、電気音響変換ユニットの小形化薄形化を促進することが不可欠である。さらに、電気音響変換ユニットの機器筐体への組付性（組立性）を高めるためには、電気音響変換素子を内蔵したユニット本体（電気音響変換ユニット本体）側の電極と回路基板側のパターン電極とを電気的に接続するときの半田付け箇所をできるだけ少なくしておくことが好ましい。
【０００３】
特開平９−２１９７４０号公報には、電話器ハンドセットに用いられている従来の電気音響変換ユニットについての記載がなされている。図１２にはこの公報に記載されている電気音響変換ユニットを示してある。同図のように、この電気音響変換ユニットは、図示していない電気音響変換素子を内蔵している略円形のユニット本体１の偏心箇所である外周部にユニット側電極２を有しており、このユニット側電極２とそれに対向して配備された回路基板３側のパターン電極５との間に導電線でなるコイルばね４を圧縮状態で介在させ、このコイルばね４によって回路基板３側のパターン電極５とユニット側電極２とを電気的に接続するようにしてある。また、この電気音響変換ユニットでは、上記コイルばね４として図１３に示したようなすべての輪部が同一直径に形成されているコイルばね４が採用されている。なお、６はハンドセットの筐体である。
【０００４】
【発明が解決しようとする課題】
しかしながら、図１２で説明した従来の電気音響変換ユニットでは、筐体６に組み付けられたユニット本体１の偏心箇所にコイルばね４の復元力による荷重が常時加わっているため、その荷重が加わっている反対側でユニット本体１が筐体６から浮き上がりやすくなり、それだけユニット本体１と筐体６との結合強度を大きくしてそのような浮き上がりを防いでおく必要がある。また、ユニット側電極２の位置と回路基板３側の回路パターン５とが対向するようにユニット本体１を位置合わせして筐体６に組み付けることを要するので、ユニット本体１が方向性を持つようになり、そのことが、筐体６へのユニット本体１の組付性を向上させる上での制約になる。
【０００５】
また、ユニット側電極２と回路基板３側のパターン電極５とをコイルばね４によって電気的に接続するようにしてあるので、コイルばね４の両端部をユニット側電極２や回路基板３側の回路パターン５に半田付けする必要は必ずしもない。しかし、コイルばね４はすべての輪部が同一直径に形成されているために、長さが最も短くなるように圧縮した場合の長さ（以下「圧縮時最短軸長」という）は、それぞれの輪部が重なり合った状態での長さよりも短くなることはない。言い換えると、長さが最も短くなるように圧縮した場合の長さは、それぞれの輪部の線径を合わせた長さになり、それよりも短くなるように圧縮することはできない。そのため、図１２に示したユニット側電極２と回路基板３の回路パターン５との間隔を狭くして筐体６全体を薄形化しようとしても、上記したコイルばね４の圧縮時最短軸長が輪部の線径や輪部の数による制限を受けるので、その薄形化がコイルばね４の輪部の線径や輪部の数によって制約されるという問題を有している。
【０００６】
本発明は以上の事情や問題点に鑑みてなされたものであり、ユニット側電極と回路基板側のパターン電極との接続に導電線でなるコイルばねを用いることによって半田付け箇所をできるだけ少なくすることを基本とし、その上で、機器筐体に組み付けられた電気音響変換ユニットに偏荷重などの無理な力ができるだけ加わらないようになる電気音響変換ユニットを提供することを目的とする。
【０００７】
また、本発明は、上記コイルばねの形状に工夫を講じることによって、機器筐体の小型化軽量化などがそのコイルばねによって阻害されないようになる電気音響変換ユニットを提供することを目的とする。
【０００８】
さらに、本発明は、電気音響変換ユニットの方向性をなくすることによって、機器筐体への組付性を向上させることのできる電気音響変換ユニットを提供することを目的とする。
【０００９】
【課題を解決するための手段】
図面を参照して本発明の電気音響変換ユニットを説明する。なお、この欄で図中の符号を使用したのは、発明の内容の理解を助けるためであって、内容を図例に限定する意図ではない。
【００１０】
本発明に係る電気音響変換ユニットでは、電気音響変換素子を内蔵したユニット本体１０の背面に同心状に位置する内側ばね受面２４と外側ばね受面２５とが具備されている。そして、上記内側ばね受面２４によって導電線でなる内側コイル３０ばねの一端側輪部３１が受け止められる。また、この内側コイルばね３０の他端側輪部が、上記内側ばね受面２４に対向して配備される回路基板６０のパターン電極６１に弾接される内側端子３６として形成されている。さらに、この内側コイルばね３０の上記一端側輪部３１から延び出た末端部３２が上記ユニット本体１０に設けられているユニット側電極１７に電気的に接続されている。これと同様に、上記外側ばね受面２５によって導電線でなる外側コイルばね４０の一端側輪部４１が受け止められる。また、この外側コイルばね４０の他端側輪部が、上記外側ばね受面２５に対向して配備される上記回路基板６０の別のパターン電極６２に弾接される外側端子４６として形成されている。さらに、この外側コイルばね４０の上記一端側輪部４１から延び出た末端部４２が上記ユニット本体１０に設けられている別のユニット側電極１８に電気的に接続されている。ここで、上記内側コイルばね３０と上記外側コイルばね４０とは互いに電気的に絶縁されていることを要する。
【００１１】
この構成であると、ユニット側電極１７と回路基板６０側のパターン電極６１とが内側コイルばね３０によって電気的に接続され、別のユニット側電極１８と回路基板６０側の別のパターン電極６２とが外側コイルばね４０によって電気的に接続される。しかも、内側コイルばね３０や外側コイルばね４０の各他端側輪部によって形成されている内側端子３６や外側端子４６を上記したパターン電極６１や別のパターン電極６２に弾接させておくことにより、それらの接触箇所を半田付けしておく必要がなくなる。
【００１２】
特に、本発明によると、ユニット本体１０の背面に同心状に位置する内側ばね受面２４と外側ばね受面２５とが具備されていて、そのうちの内側ばね受け面２４に内側コイルばね３０の一端側輪部３１を受け止めさせ、外側ばね受け面２５に外側コイルばね４０の他端側輪部４１を受け止めさせるようにしてあるので、内側及び外側の各コイルばね３０，４０が圧縮されているとき、すなわち当該電気音響変換ユニットを機器筐体などに組み込んで上記回路基板６０側のパターン電極６１，６２に各コイルばね３０，４０の他端側輪部を弾接させているときに、ユニット本体１０に偏荷重のような無理な力が加わりにくくなり、そのことが電気音響変換ユニットの特性を可及的最大限度に引き出す上で有益な事項となり、また、不慮の故障などを減らすことにも役立つ。
【００１３】
加えて、内側及び外側の各コイルばね３０，４０の他端側輪部が回路基板６０側のパターン電極６１，６２に弾接される内側端子３６又は外側端子４６として形成されているので、回路基板６０側のパターン電極６１，６２にサークルパターンを採用することが可能になる。その結果、当該電気音響変換ユニットを機器筐体に組み付ける際の方向性がなくなって、機器筐体への組付性が向上する。
【００１４】
本発明において、上記内側コイルばね３０に、その一端側輪部３１よりも他端側輪部が径小に形成された円錐状コイルばねを用いることが可能で好ましく、上記外側コイルばね４０に、その一端側輪部４１よりも他端側輪部が径小に形成された円錐状コイルばねを用いることが好ましい。この場合、上記内側コイルばね３０の他端側輪部の外周直径が上記外側コイルばね４０の他端側輪部の内周直径よりも小さく形成されていると共に、内側コイルばね３０と外側コイルばね４０とが間隔を隔てて同心状に配備されていることが好ましい。また、上記内側コイルばね３０に備わっている２つの相隣接する輪部において、径大側輪部と径小側輪部とは、当該内側コイルばね３０が圧縮されたときに、径大側輪部の内側に径小側輪部が嵌合可能になっており、上記外側コイルばね４０に備わっている２つの相隣接する輪部においても、当該外側コイルばね４０が圧縮されたときに、径大側輪部の内側に径小側輪部が嵌合可能になっていることが好ましい。
【００１５】
この構成を採用すると、内側及び外側の各コイルばね３０，４０として用いられている円錐状コイルばねの特性により、各コイルばねが圧縮されたときに各コイルばね３０，４０の軸線が曲り変形しにくいので、回路基板側のパターン電極に対する内側端子３６や外側端子４６の接触圧が安定して接触信頼性が向上する。また、内側及び外側の各コイルばね３０，４０において、径大側輪部の内側に径小側輪部が嵌合可能になっているので、各コイルばね３０，４０が圧縮されたときには、それぞれのコイルばね３０，４０の輪部同士が積み重なることがない。その結果、圧縮時最短軸長が輪部の線径や輪部の数による制限を受けなくなって、当該電気音響変換ユニットを組み込む筐体機器の薄形化を促進しやすくなる。
【００１６】
上記内側コイルばね３０の一端側輪部３１から延び出た末端部３２が接続される上記ユニット側電極１７が上記ユニット本体１０の外周部に設けられていると共に、上記内側コイルばね３０の一端側輪部３１から延び出た末端部３２の上に、合成樹脂フィルムでなる電気絶縁体３４を介して、上記外側ばね４０の一端側輪部４１が重なり状に配備されている、という構成を採用することが可能である。これによると、内側コイルばね３０の一端側輪部３１から延び出た末端部３２と外側コイルばね４０の一端側輪部４１とが電気絶縁体３４によって確実に絶縁される。また、電気絶縁体３４に肉薄である合成樹脂フィルムが用いられているので、内側コイルばね３０の一端側輪部３１から延び出た末端部３２と外側コイルばね４０の一端側輪部４１との間に介在された電気絶縁体３４によって当該電気音響変換ユニットの薄形化が阻害されるという事態が起こりにくい。
【００１７】
上記内側コイルばね３０の一端側輪部３１から延び出た末端部３２が接続される上記ユニット側電極１７と、上記外側コイルばね４０の一端側輪部４１から延び出た末端部４２が接続される別の上記ユニット側電極１８とが、上記ユニット本体１０の背面外周部の２箇所に設けられている、という構成を採用することが可能である。この構成を採用することにより、ユニット側電極１７，１８がユニット本体１０の外周の外側へ突出してユニット本体１０の小形化が阻害されるという事態が起こらない。
【００１８】
【発明の実施の形態】
図１は本発明に係る電気音響変換ユニットの実施形態を示した一部破断側面図、図２は同実施形態を示した平面図、図３は図２のＩＩＩ−ＩＩＩ線に沿う部分の拡大概略断面図、図４はキャップ２０の平面図、図５は図４のＶ−Ｖ線に沿う部分の断面図、図６は内側コイルばね３０の側面図、図７は外側コイルばね４０の側面図、図８は外側コイルばね４０を圧縮した状態の縦断面図、図９は筐体５０に組み付けられた電気音響変換ユニットを示した一部破断側面図、図１０は回路基板６０の平面図、図１１は電気音響変換ユニット１０を原理的に示した縦断面図である。
【００１９】
図１において、１０は電気音響変換素子を内蔵した平面視円形のユニット本体である。このユニット本体１０の内部構造の概略を図１１を参照して原理的に説明する。図例のユニット本体１０にはダイナミックタイプの電気音響変換素子が内蔵されている。この電気音響変換素子は、マグネット１１、ヨーク１２、ポールピース１３、振動板１４、振動板１４に固着されたボイスコイル１５などを備えており、ボイスコイル１５が、ヨーク１２とポールピース１３との間の磁気ギャップＧに挿入されている。また、ユニット本体１０の背面外周部の所定領域に基板１６が固定されており、その基板１６に形成されている２つのユニット側電極（図１１では不図示）に、上記ボイスコイル１５から延び出た２本のリード線の末端が各別に半田付けされている。なお、図２には基板１６に設けられている２つの上記ユニット側電極が符号１７，１８で示されている。
【００２０】
ユニット本体１０の背面中央部に、図４及び図５に例示した構造のキャップ２０が接着剤を用いて接合されている。このキャップ２０は、平面視円形の円板部２１の内外２箇所に同心状に位置する背低のリブ部２２，２３を略円形に一体形成してあり、円板部２１の内側リブ部２２で囲まれた板面を内側ばね受面２４として、円板部２１の内側リブ部２２と外側リブ部２３との間の板面を外側ばね受面２５として、それぞれ形成してある。また、外側ばね受け面２５の周方向の一箇所に浅い溝２５を形成し、その溝２５の両端部では内側リブ部２２や外側リブ部２３が欠除されている。それらの欠除部を符号２６，２７で示してある。さらに、外側リブ部２３の他の１箇所も欠除されており、その欠除部を符号２８で示してある。
【００２１】
図１や図２に示したように、ユニット本体１０の背面中央部に接合された上記キャップ２０の内側ばね受面２４には、内側コイルばね３０の一端側輪部３１が載架され、かつ、その一端側輪部３１が内側リブ部２２によって内側ばね受面２４に対する同心位置に位置決めされている。そして、この内側コイルばね３０の一端側輪部３１から延び出されている末端部３２が、内側リブ部２２の欠除部２６と溝２５と外側リブ部２３の欠除部２７とをこの順に引き出されて上記した基板１６のユニット側電極１７に半田付けして電気的に接続されている。ここで、上記溝２５と基板１６のユニット側電極１７との間にはわずかな段差が存在しているため、図６に示したように、内側コイルばね３０の末端部３２には所定形状にに折曲げた半田付け部３３を形成し、この半田付け部３３が無理なく上記ユニット側電極１７に重なり合うようにしてある。図２において、３５は半田である。
【００２２】
上記キャップ２０の外側ばね受面２５には、平面視ドーナツ形の肉薄合成樹脂シートでなる電気絶縁体３４が装着されていて、図３のように、この電気絶縁体３４によって上記した内側コイルばね３０の末端部３２がその上側から覆われている。
【００２３】
図１や図２に示したように、電気絶縁体３４が装着された上記キャップ２０の外側ばね受面２５の上には、その電気絶縁体３４を介して外側コイルばね４０の一端側輪部４１が載架され、かつ、その一端側輪部４１が外側リブ部２３によって内側ばね受面２４及び外側ばね受面２５に対する同心位置に位置決めされている。そして、この外側コイルばね４０の一端側輪部４１から延び出されている末端部４２が、外側リブ部２３の欠除部２８から引き出されて上記した基板１６の別のユニット側電極１８に半田付けして電気的に接続されている。ここで、上記溝２５と基板１６のユニット側電極１８との間にはわずかな段差が存在しているため、図７に示したように、外側コイルばね４０の末端部４２には所定形状に折曲げた半田付け部４３を形成し、この半田付け部４３が無理なく上記ユニット側電極１８に重なり合うようにしてある。図２において、４５は半田である。
【００２４】
このように、電気絶縁体３４が装着された外側ばね受面２５の上に、その電気絶縁体３４を介して外側コイルばね４０の一端側輪部４１を重なり状に載架しておくと、図４で明らかなように、その一端側輪部４１と内側コイルばね３０の末端部３２とが電気絶縁体３４によって確実に絶縁された状態になる。
【００２５】
この実施形態において、内側コイルばね３０や外側コイルばね４０には、円錐状コイルばねが用いられている。すなわち、図６に示したように、内側コイルばね３０はその一端側輪部３１よりも他端側輪部が径小に形成された円錐状コイルばねでなり、径小な他端側輪部が内側端子３６として形成されている。これと同様に、図７に示したように、外側コイルばね４０もその一端側輪部４１よりも他端側輪部が径小に形成された円錐状コイルばねでなり、径小な他端側輪部が外側端子４６として形成されている。また、内側コイルばね３０の他端側輪部の外周直径が外側コイルばね４０の他端側輪部の内周直径よりも小さく形成されていると共に、内側コイルばね３０と外側コイルばね４０とは、図１で判るように間隔を隔てて同心状に配備されている。
【００２６】
さらに、内側及び外側の各コイルばね３０，４０において、径大側輪部と径小側輪部とは、コイルばねが圧縮されたときに、径大側輪部の内側に径小側輪部が嵌合可能になっている。このことを図７及び図８を参照しつつ外側コイルばね４０について具体的に説明する。すなわち、図７に示したように、外側コイルばね４０は、一端側輪部４１と外側端子４６として形成されている他端側輪部とそれらの間の１つの中間輪部４７とを有しており、一端側輪部４１よりも中間輪部４７が径小であり、外側端子として形成されている他端側輪部４６が中間輪部４７よりも径小になっている。しかも、この外側コイルばね４０が図８に矢印Ｆで示した圧縮力を受けて圧縮時最短軸長の長さになるまで圧縮されたときには、同図のように一端側輪部４１の内側にそれに隣接している中間輪部４７が遊嵌合し、中間輪部４７の内側に外側端子４６として形成されている他端側輪部が遊嵌合するように、それらの各輪部の直径寸法が定められている。この点は図６に示した内側コイルばね３０についても同様である。
【００２７】
図９は携帯電話器のハンドセットの筐体５０に上記した電気音響変換ユニットを組み付けることによって、その電気音響変換ユニットを小型レシーバとして適用した事例を示している。同図において、５１は筐体５０に設けられた音孔であり、電気音響変換ユニットのユニット本体１０は、そのユニット本体１０の正面がこの音孔５１に対向するように筐体５０に固定されている。また、ユニット本体１０に装着されているキャップ２０の内側ばね受面２４や外側ばね受面２５に対向して配備された回路基板６０も筐体５０に固定されている。そして、回路基板６０に設けられた２つのパターン電極（図９において不図示）に、内側コイルばね３０の内側端子３６と外側コイルばね４０の外側端子４６とが各別に弾接している。すなわち、図１０に示したように、回路基板６０にはサークルパターンでなる２つのパターン電極６１，６２が同心状に形成されていて、そのうちの内側パターン電極６１に内側コイルばねの内側端子３６が弾接し、外側パターン電極６２に外側コイルばねの外側端子４６が弾接している。
【００２８】
この実施形態のように、回路基板６０にサークルパターンでなる２つのパターン電極６１，６２を設けておき、これらのパターン電極６１，６２に、内側及び外側の各コイルばね３０，４０の他端側輪部によって形成された内側端子３６と外側端子４６とを各別に弾接させるようにしておくと、筐体５０に組み付けられた電気音響変換ユニットのユニット本体１０が、組付けの際の方向性を持たなくなるので、それだけ組付性が向上する。また、図６〜図８などで説明したように内側コイルばね３０や外側コイルばね４０はその圧縮時最短軸長が非常に短くなるまで圧縮可能であるので、回路基板６０をユニット本体１０の内側ばね受面２４や外側ばね受面２５に近接させて配備させることが可能になり、そうすることによって組付け状態での電気音響変換ユニットの薄形化が図られ、そのことが、筐体５０の薄形化を促進することに役立つ。
【００２９】
この実施形態では、ユニット本体１０にそれとは別体のキャップ２０を重なり状に接合することによって、ユニット本体１０に内側ばね受面２４や外側ばね受面２５を具備させてあるけれども、ユニット本体１０の裏面に直接に内側ばね受面や外側ばね受面を具備させることも可能である。また、上記電気音響変換ユニットはレシーバとして用いられているけれども、この点は、マイクロホンとして用いることも可能である。さらに、上記実施形態では、ダイナミックタイプのユニット本体１０を採用しているけれども、この点は、ユニット本体としてエレクトレットコンデンサマイクロホン（ＥＣＭ）を採用することも可能である。
【００３０】
【発明の効果】
以上説明したように、本発明によれば、ユニット側電極と回路基板側のパターン電極との接続に導電線でなるコイルばねを用いているので、半田付け箇所をできるだけ少なくすることが可能になることと併せ、そのコイルばねが、ユニット本体の背面に同心状に位置する内側ばね受面や外側ばね受面によって受け止められているため、筐体に組み付けた状態では当該音響変換ユニットに偏荷重などの無理な力が加わりにくくなる。また、コイルばねが弾接する回路基板側のパターン電極としてサークルパターンを採用することによって、筐体への当該電気音響変換ユニットの組付けに際してその電気音響変換ユニットが方向性を持たなくなるので、それだけ組付性が向上する。さらに、コイルばねに円錐状コイルばねを用いると、機器筐体の小型化軽量化などがそのコイルばねによって阻害されないようになる。
【図面の簡単な説明】
【図１】本発明に係る電気音響変換ユニットの実施形態を示した一部破断側面図である。
【図２】同実施形態を示した平面図である。
【図３】図２のＩＩＩ−ＩＩＩ線に沿う部分の拡大概略断面図である。
【図４】キャップの平面図である。
【図５】図４のＶ−Ｖ線に沿う部分の断面図である。
【図６】内側コイルばねの側面図である。
【図７】外側コイルばねの側面図である。
【図８】外側コイルばねを圧縮した状態の縦断面図である。
【図９】筐体に組み付けられた電気音響変換ユニットを示した一部破断側面図である。
【図１０】回路基板の平面図である。
【図１１】電気音響変換ユニットを原理的に示した縦断面図である。
【図１２】筐体に組み付けられた従来の電気音響変換ユニットの一部破断側面図である。
【図１３】従来の電気音響変換ユニットに用いられているコイルばねの側面図である。
【符号の説明】
１０  ユニット本体
１７，１８  ユニット側電極
２４  内側ばね受面
２５  外側ばね受面
３０  内側コイルばね
３１  内側コイルばねの一端側輪部
３２  内側コイルばねの末端部
３４  電気絶縁体
３６  内側端子
４０  外側コイルばね
４１  外側コイルばねの一端側輪部
４２  外側コイルばねの末端部
４６  外側端子
６０  回路基板
６１  パターン電極
【図１】
0003641573.tif 000002
【図２】
0003641573.tif 000003
【図３】
0003641573.tif 000004
【図４】
0003641573.tif 000005
【図５】
0003641573.tif 000006
【図６】
0003641573.tif 000007
【図７】
0003641573.tif 000008
【図８】
0003641573.tif 000009
【図９】
0003641573.tif 000010
【図１０】
0003641573.tif 000011
【図１１】
0003641573.tif 000012
【図１２】
0003641573.tif 000013
【図１３】
0003641573.tif 000014